(57)【要約】      （修正有）【課題】改良すべき改良地盤とその周辺部の地盤とを跨るように砂層や有機土層が存在する軟弱地盤の改良工法であって、軟弱地盤の改良に伴う改良地盤周辺部の地下水の低下を抑制しつつ、軟弱地盤を効果的に硬質地盤へと改良。【解決手段】改良すべき軟弱地盤Ａとその周辺部Ｂの地盤とを跨るように砂層Ｃや有機土層Ｄが存在する軟弱地盤Ａを真空圧を利用して硬質地盤へと改良する軟弱地盤の改良工法であって、軟弱地盤Ａ上面を気密シート３１で覆い、この気密シート３１下に真空圧を負荷することで軟弱地盤Ａにその周辺部の地盤Ｂと隔離された減圧領域を造り出し、この圧力差によって軟弱地盤Ａ中の間隙水を強制排水し、硬質地盤へと改良する工程に先立って、気密シート３１のシート端末３１ａ上に限界盛土高さに盛土３２を施工することで、シート端末３１ａを埋設固定する軟弱地盤Ａと周辺部の地盤Ｂとの境界部分の地盤Ｅを圧密化する。【選択図】図１
2012072585.tif 000002
【特許請求の範囲】
【請求項１】
改良すべき軟弱地盤とその周辺部の地盤とを跨るように砂層や有機土層が存在する軟弱地盤を真空圧を利用して硬質地盤へと改良する軟弱地盤の改良工法であって、
前記軟弱地盤上面を気密シートで覆い、この気密シート下に真空圧を負荷することで前記軟弱地盤にその周辺部の地盤と隔離された減圧領域を造り出し、この圧力差によって前記軟弱地盤中の間隙水を強制排水し、硬質地盤へと改良する工程に先立って、
前記気密シートのシート端末上に限界盛土高さに相当する荷重を載荷することで、前記シート端末を埋設固定する前記軟弱地盤とその周辺部の地盤との境界部分の地盤を圧密化することを特徴とする軟弱地盤の改良工法。
【請求項２】
気密シートのシート端末上に限界盛土高さに相当する荷重を載荷する工程は、シート端末上に限界盛土高さまで盛土を施すことにより行うことを特徴とする請求項１に記載の軟弱地盤の改良工法。
【請求項３】
気密シートのシート端末上に限界盛土高さに相当する荷重を載荷する工程は、シート端末上に限界盛土高さに相当する荷重の土嚢、石材及びコンクリートブロックの中から選ばれるいずれか１つ、又はこれらを組み合わせたものを配置することにより行うことを特徴とする請求項１に記載の軟弱地盤の改良工法。
【請求項４】
気密シート下に真空圧を負荷する工程は、鉛直ドレーン材を上端部を残して軟弱地盤中に所定の間隔をおいて打設して該軟弱地盤中に鉛直排水路を造成し、次いで、前記鉛直ドレーン材上端部と接触するように真空ポンプと繋がる水平ドレーン材を配置し、次いで、軟弱地盤上を鉛直ドレーン材の上端部及び水平ドレーン材とともに気密シートで覆い、次いで、前記真空ポンプを作動させて前記気密シート下に真空圧を負荷して負圧の状態を造り出すことにより実施されることを特徴とする請求項１〜３のいずれかに記載の軟弱地盤の改良工法。
【発明の詳細な説明】
【技術分野】
【０００１】
本発明は、改良すべき改良地盤とその周辺部の地盤とを跨るように砂層や有機土層が存在する軟弱地盤の改良に伴う周辺部の地下水の低下を抑制しつつ、軟弱地盤を効果的に硬質地盤へと改良することができる軟弱地盤の改良工法に関する。
【背景技術】
【０００２】
従来、軟弱地盤の改良工法としては、改良する軟弱地盤上面を気密シートで被覆して前記改良地盤中に真空圧を負荷して前記軟弱地盤中にその周辺部と隔離された減圧領域を造り出すと共に、前記軟弱地盤上に盛土を施して盛土荷重を負荷することで、軟弱地盤を硬質地盤へと改良するようにしたものがある。
【０００３】
具体的には、図４に示すように、軟弱地盤Ａ中に所定の間隔をおいて複数の鉛直ドレーン材１を上端部１ａを残して打設し、次いで、これら各鉛直ドレーン材１の上端部１ａに接触するように水平ドレーン２を配置し、次いで、この水平ドレーン材２に真空タンク４を介して真空ポンプ５に繋がる集水管３を接続し、さらに改良地盤Ａ上面を前記鉛直ドレーン材１の上端部１ａ、水平ドレーン材２及び集水管３とともに気密シート６で被覆する。この後、前記集水管３に真空タンク４を介して接続する真空ポンプ５を稼働させるのである。
【０００４】
これにより、真空ポンプ５からの真空圧は、真空タンク４、集水管３、水平ドレーン材２および鉛直ドレーン材１を介して改良地盤Ａへと伝播し、鉛直ドレーン材１を中心にその周囲の地盤を減圧状態の領域（減圧領域という）とする。真空圧は、減圧領域となった鉛直ドレーン材１周りの地盤から、さらに外側周りの地盤へと伝播してゆき、この結果、鉛直ドレーン材１へと向かう地盤加圧（水圧、土圧）が発生する。
【０００５】
この地盤加圧に従って、鉛直ドレーン材１周囲の地盤に含まれる間隙水は鉛直ドレーン材１に向かって吸い出され、鉛直ドレーン材１、水平ドレーン材２及び集水管３を排水経路として排水され、これに伴って鉛直ドレーン材１周囲の地盤のさらに外側周りの地盤も減圧領域となる。
【０００６】
こうして、鉛直ドレーン材１を中心にしてその周囲の地盤に減圧領域が広がり、やがて改良地盤Ａ全域が減圧領域となり、同時に鉛直ドレーン材１を中心にして圧密、強度増加が進行し、改良地盤Ａ全域の圧密、強度増加が行われることになる。
【０００７】
以上の如くして、硬質地盤へと改良がなされる一方で、気密シート３上に盛土７を施す。これにより、該盛土７の荷重が改良地盤Ａに載荷され、該改良地盤Ａの圧密脱水が進行することになり、盛土７による改良地盤Ａの圧密脱水と前述の圧力差による吸い出しとが共働して、改良地盤Ａの圧密沈下が促進されるのである（特許文献１参照）。
【０００８】
ところが、上述の強制圧密脱水工法では真空圧により改良地盤Ａの地下水を強制排水しているので、改良すべき改良地盤Ａとその周辺部の地盤Ｂとを跨るように透水性の高い砂層や有機土層が存在している場合には、図４中太矢印で示すように、前記砂層や有機土層を通して周辺部の地盤Ｂ内の地下水が改良地盤Ａ側へと流れ込んで周辺部の地盤Ｂの地下水位が低下し、この影響により軟弱な周辺部の地盤Ｂも圧密が促進されて沈下等が誘発されることになる。
【０００９】
地下水の排水を原因とする沈下の場合、その影響範囲が時間とともに拡大し、地盤改良の品質保持のため、十分な圧密時間を必要とする強制圧密脱水工法にあっては逆作用となるので、改良地盤の周辺部に対する影響を出来るだけ少なくする対策が必要とされる。
【００１０】
本発明者は、このような技術的課題に鑑み、軟弱地盤の改良に伴う周辺部の地下水の低下を抑制しつつ、軟弱地盤を効果的に硬質地盤へと改良することができる軟弱地盤の改良工法を提案している（特許文献２及び３参照）。
【００１１】
特許文献２に記載の発明は、図５に示すように、改良すべき改良地盤Ａとその周辺部の地盤Ｂとを跨るように砂層Ｃや有機土層Ｄが存在する軟弱地盤Ａの改良に先だって周辺部の地盤Ｂ内に鉛直ドレーン材１１を打設して鉛直供給路を造成し、この鉛直供給路内に止水材１２を含む水を投入して前記鉛直供給路を通して周辺部の地盤Ｂ内に止水材１２を含む水を供給するようにしたので、前記鉛直供給路内に投入された止水材１２が、鉛直供給路周辺の砂層Ｃや有機土層Ｄに水流に従って拡散し、止水ゾーン１３を形成する。
【００１２】
止水材１２により形成された止水ゾーン１３は、周辺部の地盤Ｂ内の地下水が砂層Ｃや有機土層Ｄを通して移動するのを阻害し、改良地盤Ａ内の地下水を強制排水するのに伴う周辺部の地盤Ｂ内の地下水の低下を抑えることができ、軟弱地盤の改良に伴う周辺部の地盤Ｂの沈下を効果的に抑制できる。
【００１３】
一方、特許文献３に記載の発明は、図６に示すように、改良すべき改良地盤Ａと周辺部の地盤Ｂとを跨るように砂層Ｃや有機土層Ｄが存在する軟弱地盤の改良工法において、改良地盤Ａ内に第１の鉛直ドレーン材１１を配置し、改良地盤Ａ内に第１の真空ポンプＰ１からの真空圧を負荷して前記改良地盤Ａ内に隔離された減圧領域を造り出し、間隙水を強制排水して前記改良地盤Ａを硬質地盤へと改良するときに、改良地盤周辺部近傍に第２の鉛直ドレーン材１０１を、改良地盤周辺部の地盤Ｂに第３の鉛直ドレーン材１０４を夫々配置し、前記第２の鉛直ドレーン材１０１内に第２の真空ポンプＰ２からの真空圧を負荷させ、周辺部近傍からの間隙水を強制排水させ、これを第３の鉛直ドレーン材１０４へと排水させることで水流Ｓを形成することを特徴とするものである。
【００１４】
この発明において、第２の鉛直ドレーン材１０１を通して前記改良地盤Ａ内の該改良地盤周辺部近傍からの間隙水を第３の鉛直ドレーン材１０４へと排水することで形成される水流Ｓは、砂層Ｃや有機土層Ｄを通して改良地盤周辺部の地盤Ｂ中の地下水が改良地盤Ａ側へと流れ込むのを効果的に阻止するので、改良地盤周辺部の地盤Ｂ中の地下水が改良地盤Ａ側へ流れ込んで周辺部の地盤Ｂの圧密が促進されて沈下等が誘発される恐れを解消することができる。また、水流Ｓによって改良地盤周辺部の地盤Ｂ中の地下水が改良地盤Ａ側へと流れ込むのが効果的に阻止されるので、真空圧を利用した硬質地盤への地盤改良がより効果的に進行するという効果を奏する。
【００１５】
ところが、上記特許文献２に記載の改良工法を実施する場合、改良地盤周辺部の地盤Ｂ内に鉛直ドレーン材１１を打設して鉛直供給路を造成し、次いでこの鉛直供給路内に止水材１２を含む水を投入して前記鉛直供給路を通して改良地盤周辺部の地盤Ｂ内に止水材１２を含む水を供給するという止水ゾーン１３を形成するための特別な装置及び工程が必要があり、上記特許文献３に記載の改良工法を実施する場合には、改良地盤周辺部近傍に第２の鉛直ドレーン材１０１を、改良地盤周辺部の地盤Ｂに第３の鉛直ドレーン材１０４を夫々配置し、次いで、前記第２の鉛直ドレーン材１０１内に第２の真空ポンプＰ２からの真空圧を負荷させ、周辺部近傍からの間隙水を強制排水させ、これを第３の鉛直ドレーン材１０４へと排水させるという水流Ｓを形成するための特別な装置及び工程が必要があった。
【先行技術文献】
【特許文献】
【００１６】
【特許文献１】特許第３２７０９６８号掲載公報
【特許文献２】国際公開第２００５／１１３９０１号
【特許文献３】特開２０１０−８４４０６号公報
【発明の概要】
【発明が解決しようとする課題】
【００１７】
本発明者は、上記事情に鑑み、改良すべき改良地盤と周辺部の地盤とを跨るように砂層や有機土層が存在する軟弱地盤、特には砂層や有機土層が３〜５ｍという比較的浅い層に存在する場合に効果的であり、施工が簡単でありながら、しかも改良地盤周辺部から改良地盤内への地下水の移動を確実に阻害することができ、改良地盤の地下水の強制排水に伴う改良地盤周辺部の地盤内の地下水の低下を効果的に抑えることができる軟弱地盤の改良工法について鋭意研究の結果、本発明を完成するに至ったものである。
【００１８】
すなわち本発明は、改良すべき改良地盤とその周辺部の地盤とを跨るように砂層や有機土層が存在する軟弱地盤、特には砂層や有機土層が３〜５ｍという比較的浅い層に存在する軟弱地盤に好適な軟弱地盤の改良工法であって、軟弱地盤の改良に伴う改良地盤周辺部の地下水の低下を抑制しつつ、軟弱地盤を効果的に硬質地盤へと改良することができる軟弱地盤の改良工法を提供することを目的とするものである。
【課題を解決するための手段】
【００１９】
上記目的達成のため、本発明は、改良すべき軟弱地盤とその周辺部の地盤とを跨るように砂層や有機土層が存在する軟弱地盤を真空圧を利用して硬質地盤へと改良する軟弱地盤の改良工法であって、
前記軟弱地盤上面を気密シートで覆い、この気密シート下に真空圧を負荷することで前記軟弱地盤にその周辺部の地盤と隔離された減圧領域を造り出し、この圧力差によって前記軟弱地盤中の間隙水を強制排水し、硬質地盤へと改良する工程に先立って、
前記気密シートのシート端末上に限界盛土高さに相当する荷重を載荷することで、前記シート端末を埋設固定する前記軟弱地盤とその周辺部の地盤との境界部分の地盤を圧密化することを特徴とする軟弱地盤の改良工法をその要旨とした。
【発明の効果】
【００２０】
本発明の軟弱地盤の改良工法にあっては、改良すべき軟弱地盤とその周辺部の地盤とを跨るように砂層や有機土層が存在する軟弱地盤を真空圧を利用して硬質地盤へと改良する工法であり、前記軟弱地盤上面を覆う気密シート下に真空圧を負荷することで前記軟弱地盤を硬質地盤へと改良するのに先立って、前記気密シートのシート端末が埋設固定される前記軟弱地盤とその周辺部の地盤との境界部分の地盤を前記気密シートのシート端末上に限界盛土高さに相当する荷重を載荷することで圧密するようになっている。このため、軟弱地盤と周辺部との境界部分の地盤、特には軟弱地盤とその周辺部の地盤とを跨るように存在する砂層や有機土層の圧密化が進行し、周辺部の地盤からの地下水の移動が阻害されるようになる。
【００２１】
この結果、気密シート下に真空圧を負荷して改良地盤にその周辺部の地盤と隔離された減圧領域を造り出し、この圧力差によって前記軟弱地盤中の間隙水を強制排水して前記軟弱地盤を硬質地盤へと改良する工程を実施するときに、周辺部の地盤からの地下水の移動が阻害されるようになっているため、周辺部の地盤内の地下水が改良する軟弱地盤側へと流れ込んで周辺部の地盤の地下水位が低下し、この影響により軟弱な周辺部の地盤Ｂも圧密が促進されて沈下等が誘発されることになるという弊害の発生が未然に防止されることになる。
【００２２】
加えて、本発明の軟弱地盤の改良工法にあっては、軟弱地盤とその周辺部の地盤との境界部分の地盤、特には軟弱地盤とその周辺部の地盤とを跨るように存在する砂層や有機土層の圧密化が進行し、周辺部の地盤からの地下水の移動が阻害されることから、気密シート下に真空圧を負荷して改良地盤にその周辺部の地盤と隔離された減圧領域を造り出し、これにより前記軟弱地盤中の間隙水を強制排水して前記軟弱地盤を硬質地盤へと改良する工程が、より効果的に進行するという効果を奏することにもなる。
【図面の簡単な説明】
【００２３】
【図１】本発明の軟弱地盤の改良工法を施工した軟弱地盤の断面を示す模式図。
【００２４】
【図２】本発明の軟弱地盤の改良工法を施工した軟弱地盤の断面を示す平面図。
【００２５】
【図３】本発明の軟弱地盤の改良工法を施工した別形態の軟弱地盤の断面の要部拡大図。
【００２６】
【図４】従来の軟弱地盤の改良工法を施工した軟弱地盤の断面を示す模式図。
【００２７】
【図５】従来の別の軟弱地盤の改良工法を施工した軟弱地盤の断面を示す模式図。
【００２８】
【図６】従来のさらに別の軟弱地盤の改良工法を施工した軟弱地盤の断面を示す模式図。
【発明を実施するための形態】
【００２９】
以下、本発明の軟弱地盤の改良工法を図面に示す好ましい一実施形態に従ってさらに詳しく説明する。図１に示すように、本発明の軟弱地盤の改良工法（以下、本件工法という）は、改良すべき軟弱地盤Ａとその周辺部の地盤Ｂとを跨るように砂層Ｃや有機土層Ｄが存在する軟弱地盤、特には砂層Ｃや有機土層Ｄが３〜５ｍという比較的浅い層に存在する軟弱地盤に効果的に適用することができる。
【００３０】
本件工法は、前記軟弱地盤Ａ上面を気密シート３１で覆い、この気密シート３１下に真空圧を負荷することで前記軟弱地盤にその周辺部の地盤Ｂと隔離された減圧領域を造り出し、これにより前記軟弱地盤Ａ中の間隙水を排水し、該軟弱地盤Ａを硬質地盤へと改良するものである。
【００３１】
気密シート３１下に真空圧を負荷する方法としては特に限定されない。真空圧を負荷する方法としては、例えば本発明者が提案している特許第３２７０９６８号掲載公報、特許第３１３８９０９号掲載公報、特開２００３−５５９５１号公報、特開２００４−３１６０６８号公報及び特開２００４−１５００２６号公報に記載されている方法が、従来のサンドマットを用いた従来工法に比べて、より確実に真空圧を改良地盤中に負荷することができ、より効果的な改良が実現できるという点で好ましい。
【００３２】
特許第３２７０９６８号掲載公報に記載の改良工法は、軟弱地盤上面を気密シートで被覆して前記軟弱地盤中に真空圧を負荷して、前記軟弱地盤中にその周辺部と隔離された減圧領域を造り出す方法であり、図１及び図２に示すように、改良地盤Ａ中に上端部を残して所定の間隔をおいて複数の鉛直ドレーン材２１を打設することにより、地盤Ａ中に複数の鉛直排水壁を造成し、次いで、各鉛直ドレーン材２１の上端部２１ａと接触するように真空ポンプＰと真空タンク２４、集水管２３を介して繋がる水平ドレーン材２２を配置し、次いで、軟弱地盤Ａ上を鉛直ドレーン材２１の上端部２１ａ、水平ドレーン材２２及び集水管２３とともに気密シート３１で覆い、次いで、前記真空ポンプＰを稼働させて前記気密シート３１下に真空圧を負荷して負圧の状態を造り出すという方法である。
【００３３】
特許第３１３８９０９号掲載公報に記載の改良工法は、特許第３２７０９６８号掲載公報に記載の工法を改良したものであり、真空ポンプＰを間欠的に稼働させてより改良効率を高めたものである。
【００３４】
また、特開２００３−５５９５１号公報、特開２００４−３１６０６８号公報及び特開２００４−１５００２６号公報にに示すように、真空圧を負荷して軟弱地盤中にその周辺部と隔離された減圧領域を造り出すことにより、軟弱地盤内から吸い出された間隙水を前記真空圧の伝播経路とは別の排水経路を通じて排出するようにしてもよい。
【００３５】
図１及び図２に示す形態では、軟弱地盤Ａ中に所定の間隔をおいて設置した各鉛直ドレーン材２１の上端部２１ａに接触させた水平ドレーン材２２に真空ポンプＰと真空タンク２４を介して繋がる集水管２３を接続すると共に、前記集水管２３の下側で軟弱地盤Ａ内に軟弱地盤Ａ外へと通じる排水タンク２５を配置して、真空ポンプＰから、真空タンク２４、集水管２３、水平ドレーン材２２及び鉛直ドレーン材２１へと続く真空圧の伝播経路とは別の排水経路、すなわち鉛直ドレーン材２１から、水平ドレーン材２２及び集水管２３を通じて集水された軟弱地盤Ａ内からの間隙水を前記排水タンク２５へと排水するのである。
【００３６】
この場合、図１及び図２に示すように、集水管２３と排水タンク２５とは、重力を利用して水と空気とを分離するセパレータ２６を介して接続し、このセパレータ２６によって前記集水管２３内の間隙水を前記排水タンク２５へと導水するようにするのが望ましい。また、排水タンク２５内には排水ポンプ２７を内蔵させることができ、この場合、前記排水タンク２５内の間隙水を改良地盤Ａ外に繋がる排水管２８を通じて改良地盤Ａ外へと強制的に排出することになり、より効率的な排水が可能となる。
【００３７】
また、図１及び図２に示すように、地盤改良に際しては、軟弱地盤Ａ上に盛土２９を施して盛土荷重を載荷することもできる。盛土２９は気密シート３１上に施す。これにより、該盛土２９の圧密載荷重によって改良地盤Ａの圧密脱水がより効率よく行われ、圧力差による吸い出しと共働して、改良地盤Ａの圧密沈下が促進されることになる。尚、図１及び図２に示す形態では、気密シート３１上に盛土２９を施したが、これに限定されない。
【００３８】
本件工法は、上述の気密シート下への真空圧の負荷に先だって、気密シートのシート端末を埋設固定する軟弱地盤と周辺部との境界部分の地盤上に限界盛土高さに相当する荷重を載荷することで前記境界部分の地盤の圧密するようになっている。図１及び図２に示す形態では、軟弱地盤Ａ上面を覆う気密シート３１のシート端末３１ａを軟弱地盤Ａと周辺部Ｂとの境界部分の地盤Ｅ内に埋設固定し、このシート端末３１ａ上に限界盛土高さまで盛土３２を施している。
【００３９】
図１に示すように、気密シート３１のシート端末３１ａ上に限界盛土高さに盛土３２を施工したとき、軟弱地盤Ａと周辺部Ｂとの境界部分の地盤Ｅには、シート端末３１ａ上の盛土３２による載荷重が図１中太矢印に示すように伝播し、該地盤Ｅの圧密が進行することになる。特に境界部分の地盤Ｅには、軟弱地盤Ａと周辺部Ｂとを跨るように砂層Ｃや有機土層Ｄが存在している。これら砂層Ｃや有機土層Ｄは含水比が高いことから、周辺部Ｂの地下水の軟弱地盤Ａ側への流入経路となるのであるが、反面、砂層Ｃや有機土層Ｄは、圧密載荷重によって圧密が進行し易いことから、盛土３２による載荷重が伝播すると、これら砂層Ｃや有機土層Ｄの圧密が速やかに進行し、周辺部Ｂの地下水（図１中矢印）の流路が閉ざされることになるのである。
【００４０】
図３に示す形態では、気密シート３１のシート端末３１ａ上に土嚢、石材及びコンクリートブロックなどの荷重３３を積み上げて限界盛土高さに相当するだけの荷重を軟弱地盤Ａと周辺部Ｂとの境界部分の地盤Ｅに載荷し、その載荷重が図３中太矢印に示すように境界部分の地盤Ｅに伝播し、地盤Ｅの圧密化が図られているのである。
【００４１】
軟弱地盤Ａと周辺部Ｂとの境界部分の地盤Ｅの種類は様々である。特に砂層Ｃや有機土層Ｄの種類、含水比の大小、大きさ、形状も、様々に異なっている。このため、境界部分の地盤Ｅに限界盛土高さに相当するだけの荷重を載荷する必要がない場合もある。本件工法において、「限界盛土高さに相当する荷重」とは、式：Ｈｃ＝Ｎｓ・ｃ／γで現される限界高さ（critical height of slope）によって計算される荷重を上限とし、その上限値よりも小さな荷重であるが、これを載荷することで砂層Ｃや有機土層Ｄの圧密を進行させて、周辺部Ｂの地下水の流路を遮断できるものも含まれる。
【００４２】
尚、本件工法を適用するに当たり、気密シートのシート端末上に限界盛土高さに盛土等を施し、その荷重によって軟弱地盤とその周辺部との境界部分の地盤を圧密化する場合、盛土等による荷重は、地盤Ｅ周囲に分散し易く地盤Ｅの深部へ伝播する伝播率は低いため、３〜５ｍという比較的浅い軟弱地盤の改良や、砂層Ｃや有機土層Ｄが３〜５ｍという比較的浅い層に存在する軟弱地盤の改良に好適である。
【００４３】
尚、気密シートのシート端末上に限界盛土高さに相当する荷重を載荷することで、前記シート端末を埋設固定する前記軟弱地盤と周辺部との境界部分の地盤を圧密化する方法としては、図１〜図３に示す形態に限定されず、特許請求の範囲に記載された範囲で自由に変更して実施することができる。例えば気密シートのシート端末上のほぼ全域に渡って樋を配置し、この樋内に別の地盤改良区画から排水された改良地盤からの間隙水を入れ、この水の荷重によって、境界部分の地盤Ｅの圧密化を図ることもできる。
【符号の説明】
【００４４】
２１・・・  鉛直ドレーン材
２１ａ・・・鉛直ドレーン材上端部
２２・・・  水平ドレーン材
２３・・・  集水管
２４・・・  真空タンク
Ｐ・・・  真空ポンプ
２５・・・  排水タンク
３１  ・・・気密シート
３１ａ・・・シート端末
３２・・・  盛土
３３・・・  荷重
Ａ・・・  軟弱地盤
Ｂ・・・  周辺部の地盤
Ｃ・・・  砂層
Ｄ・・・  有機土層
Ｅ・・・  境界部分の地盤
【図１】
2012072585.tif 000003
【図２】
2012072585.tif 000004
【図３】
2012072585.tif 000005
【図４】
2012072585.tif 000006
【図５】
2012072585.tif 000007
【図６】
2012072585.tif 000008